(57)【要約】      （修正有）【課題】コンパクト容器の内部に、コンパクト容器を開放したときに前記透明排出板の上面に文字またはイメージが投影されるようにして、使用しているコンパクトに対する情報を消費者に伝達すると同時に視覚的に審美感を向上させ、排出される化粧料による文字またはイメージの汚染を防止する。【解決手段】分配通路５２を有する分配板５０と、前記分配板の上部に形成され、排出通路６２を有するパレット６０と、前記パレットの上部に形成され、排出口７２を有し、透明材質からなる透明排出板７０とを含んでなり、前記透明排出板の底面にはイメージまたは文字が印刷されて透明排出板の上面に投影され、前記パレットと透明排出板はインサート射出または二重射出されて一つの部品として形成されることを特徴とする、情報伝達機能を有し且つ底面に異物が入り込まないようにした透明排出板付きコンパクト容器を提供する。【選択図】図４
2018000958.tif 000002
【特許請求の範囲】
【請求項１】
分配通路（５２）を有する分配板（５０）と、
前記分配板（５０）の上部に形成され、排出通路（６２）を有するパレット（６０）と、
前記パレット（６０）の上部に形成され、排出口（７２）を有し、透明または半透明材質からなる透明排出板（７０）とを含んでなり、
前記透明排出板（７０）の底面にはイメージまたは文字が印刷されて透明排出板（７０）の上面に投影され、
前記透明排出板（７０）の下側にパレット（６０）がインサート射出または二重射出され、前記パレット（６０）の下側に分配板（５０）が結合されて一つの部品として形成されることを特徴とする、情報伝達機能を有し且つ底面に異物が入り込まないようにした透明排出板付きコンパクト容器。
【請求項２】
前記分配板（５０）とパレット（６０）と透明排出板（７０）は、内容物容器（３０）に収容された化粧料を排出させる排出手段（４０）に隣接して結合されることを特徴とする、請求項１に記載の情報伝達機能を有し且つ底面に異物が入り込まないようにした透明排出板付きコンパクト容器。
【請求項３】
前記排出手段（４０）は、化粧料をポンピングするポンプであることを特徴とする、請求項２に記載の情報伝達機能を有し且つ底面に異物が入り込まないようにした透明排出板付きコンパクト容器。
【請求項４】
前記分配板（５０）の上面には嵌合環溝（５４）と嵌合溝（５６）が形成され、前記パレット（６０）の下面には嵌合突輪（６４）と嵌合突起（６６）が形成されることにより、前記嵌合突輪（６４）は嵌合環溝（５４）に嵌合され、前記嵌合突起（６６）は嵌合溝（５６）に嵌合されることを特徴とする、請求項１に記載の情報伝達機能を有し且つ底面に異物が入り込まないようにした透明排出板付きコンパクト容器。
【請求項５】
前記パレット（６０）の下側には、分配板（５０）が超音波接合、高周波接合、熱接合、接着剤で接着、又はアンダーカット結合されることを特徴とする、請求項１に記載の情報伝達機能を有し且つ底面に異物が入り込まないようにした透明排出板付きコンパクト容器。
【請求項６】
前記パレット（６０）は不透明材質で形成されることを特徴とする、請求項１に記載の情報伝達機能を有し且つ底面に異物が入り込まないようにした透明排出板付きコンパクト容器。
【請求項７】
前記透明排出板（７０）の上側には枠部材（６１）が形成され、前記枠部材（６１）は、パレット（６０）と同時に透明排出板（７０）にインサート射出または二重射出されることを特徴とする、請求項１に記載の情報伝達機能を有し且つ底面に異物が入り込まないようにした透明排出板付きコンパクト容器。
【発明の詳細な説明】
【技術分野】
【０００１】
本発明は、情報伝達機能を有し且つ底面に異物が入り込まないようにした透明排出板付きコンパクト容器に係り、さらに詳細しく、コンパクト容器の内部に、化粧料を外部へ排出させる排出手段を形成し、前記排出手段の上部に分配板、パレット及び透明または半透明材質の透明排出板を形成するが、前記透明排出板の底面に様々な文字またはイメージを印刷し、前記透明排出板の下側にパレットをインサート射出または二重射出することにより、コンパクト容器を開放したときに前記透明排出板の上面に文字またはイメージが投影されるようにして、使用しているコンパクトに関する情報を消費者に伝達すると同時に視覚的に審美感を向上させ、排出される化粧料による文字またはイメージの汚染を防止する、情報伝達機能を有し且つ底面に異物が入り込まないようにした透明排出板付きコンパクト容器に関する。
【背景技術】
【０００２】
一般に、女性は、肌の色を美しく表現する、肌の欠点を見えないようにする、或いは公害、ほこり、紫外線から肌を保護するために、色調化粧品を使用する。
【０００３】
上述したような色調化粧品としては、粉末状のパウダーとゲル状のファウンデーションが代表的であるが、前記粉末状のパウダーは、使用中に内容物が飛散し、顔への塗布時に密着感に劣るという欠点がある。このため、ゲル状のファンデーションの使用頻度が益々増えている。
【０００４】
前記ファンデーションは、色調粉末原料に固着剤（ｂｉｎｄｅｒ）、乳化剤（ｅｍｕｌｓｉｆｉｅｒ）などの成分を混合し、一定の温度で溶融、冷却させた後、内容物をコンパクト容器などの化粧品容器に入れて保管または携帯し、パフなどの化粧道具を使って使用する。
【０００５】
しかし、従来のコンパクト容器は、容器の内部に化粧料を収容するか或いは化粧料の含浸されたスポンジなどを内蔵し、パフで直接化粧料またはスポンジを押して化粧料を取る構造なので、ユーザーが化粧料またはスポンジを押圧する圧力によっては必要以上の化粧料がパフに付いて浪費されるという問題があった。
【０００６】
また、従来のコンパクト容器は、スポンジに含浸された化粧料をパフに付けて顔などの皮膚に接触させながら化粧をし、再び繰り返してパフで化粧料の含浸されたスポンジを押して接触させるが、このとき、皮膚に存在するウイルスやカビ、細菌などにより化粧料が汚染してしまうといる問題が生じた。
【０００７】
このため、化粧料を定量的に使用することができるとともに、容器に内蔵された化粧料とパフとの接触を防いで化粧料の汚染を防止することができるコンパクト容器が開発されている。
【０００８】
前述したような従来技術として、図１に示すように韓国公開特許第１０−２０１５−００９６６０５号が提示されたが、前記従来のコンパクト容器は、化粧料を外部へ排出させる排出手段と、前記排出手段から化粧料が排出される一側に備えられ、複数の吐出口を有す吐出板とから構成され、化粧料が毎回一定量で吐き出されるようにし、化粧料とパフとが直接接触しないようにして化粧料の汚染を防止することができるようにしたのである。
【０００９】
ところが、前記従来技術のコンパクト容器は、コンパクト蓋の上面または底面に文字や模様などを印刷してユーザーに情報伝達するか或いは視覚的な審美性を満たすようにしているが、ユーザーは化粧の際にコンパクト蓋を開いて使用するので、化粧中にコンパクトに関する情報が伝達されないという問題点があった。
【００１０】
また、前記従来のコンパクト容器は、吐出板の表面に模様や文字を印刷する場合、これに使用される印刷されたインクが、吐き出された化粧料によって溶解して化粧料が汚染する可能性があり、これにより吐出板に印刷された文字や絵などの表現が消えてしまうおそれもあった。
【００１１】
かかる問題点を解決するために、図２に示すように、本出願人は、韓国登録実用新案第２０−０４８０４３９号で、模様の印刷された情報伝達板を有するゲル状化粧料用コンパクト容器を出願し、登録されたことがあるが、前記従来のコンパクト容器は、透明排出板１を設け、前記透明排出板１の下部に文字や模様の印刷された情報伝達板２を挿入してコンパクトに関する情報を消費者に伝達できるようにした。
【００１２】
しかし、前記従来のコンパクト容器は、化粧料が排出されるとき、透明排出板１とこれに組み立てられている情報伝達板２との間の隙間に化粧料が入り込むことにより、前記情報伝達板２に印刷された模様または文字が化粧料で隠されて情報伝達機能をまともに実行できないだけではなく、視覚的な面からも汚くなるという問題点があった。
【００１３】
また、前記従来のコンパクト容器は、透明排出板１と受け板３との間に別に情報伝達板２を挿入して組み立てなければならないので、前記情報伝達板２を挿入するための組立工程が増えて生産性に劣り、これにより製造コストが上がる問題点もあった。
【発明の概要】
【発明が解決しようとする課題】
【００１４】
本発明は、かかる問題点を解決するためになされたもので、その目的は、コンパクト容器の内部に、化粧料を外部へ排出させる排出手段を形成し、前記排出手段の上部に分配板、パレット及び透明または半透明材質の透明排出板を形成するが、前記透明排出板の底面に様々な文字またはイメージを印刷し、前記透明排出板の下側にパレットをインサート射出または二重射出することにより、コンパクト容器を開放したときに前記透明排出板の上面に文字またはイメージが投影されるようにして、使用しているコンパクトに関する情報を消費者に伝達すると同時に視覚的に審美感を向上させ、排出される化粧料による文字またはイメージの汚染を防止する、情報伝達機能を有し且つ底面に異物が入り込まないようにした透明排出板付きコンパクト容器を提供することにある。
【００１５】
本発明の他の目的は、透明排出板の底面に様々な文字またはイメージを印刷し、前記透明排出板の下側にパレットをインサート射出または二重射出し、前記パレットの下側に分配板を超音波接合して、排出手段の上部に結合される一つの部品として形成することにより、コンパクト容器の組立構造が単純化され、これにより生産性が向上する、情報伝達機能を有し且つ底面に異物が入り込まないようにした透明排出板付きコンパクト容器を提供することにある。
【課題を解決するための手段】
【００１６】
本発明は、分配通路５２を有する分配板５０と、
前記分配板５０の上部に形成され、排出通路６２を有するパレット６０と、
前記パレット６０の上部に形成され、排出口７２を有し、透明または半透明材質からなる透明排出板７０とを含んでなり、
前記透明排出板７０の底面にはイメージまたは文字が印刷されて透明排出板７０の上面に投影され、
前記透明排出板７０の下側にパレット６０がインサート射出または二重射出され、前記パレット６０の下側に分配板５０が結合されて一つの部品として形成されることを特徴とする、情報伝達機能を有し且つ底面に異物が入り込まないようにした透明排出板付きコンパクト容器を提供する。
【００１７】
また、前記分配板５０とパレット６０と透明排出板７０は、内容物容器３０に収容された化粧料を排出させる排出手段４０に隣接して結合されることを特徴とする。
【００１８】
また、前記排出手段４０は、化粧料をポンピングするポンプであってもよい。
【００１９】
また、前記分配板５０の上面には嵌合環溝５４が形成され、前記パレット６０の下面には嵌合突輪６４が形成されることにより、前記嵌合突輪は前記嵌合環溝５４に嵌合されることができる。
【００２０】
また、前記分配板５０の上面には嵌合溝５６が形成され、前記パレット６０の下面には嵌合突起６６が形成されることにより、前記嵌合突起は前記嵌合溝５６に嵌合されることができる。
【００２１】
また、前記パレット６０の下側には、分配板５０が超音波接合、高周波接合又は熱接合されるか、或いは接着剤で接着されてもよい。
【００２２】
また、前記パレット６０は不透明材質で形成されることを特徴とする。
【００２３】
また、前記透明排出板７０の上側には枠部材６１が形成され、前記枠部材６１はパレット６０と同時に透明排出板７０にインサート射出または二重射出されることを特徴とする。
【発明の効果】
【００２４】
本発明に係る情報伝達機能を有し且つ底面に異物が入り込まないようにした透明排出板を備えたコンパクト容器は、コンパクト容器の内部に、化粧料を外部へ排出させる排出手段を形成し、前記排出手段の上部に分配板、パレット及び透明または半透明材質の透明排出板を形成するが、前記透明排出板の底面に様々な文字またはイメージを印刷し、前記透明排出板の下側にパレットをインサート射出または二重射出することにより、コンパクト容器を開放したときに前記透明排出板の上面に文字またはイメージが投影されるようにして、使用しているコンパクトに関する情報を消費者に伝達すると同時に視覚的に審美感を向上させ、排出される化粧料による文字またはイメージの汚染を防止するという効果がある。
【００２５】
また、本発明に係る情報伝達機能を有し且つ底面に異物が入り込まないようにした透明排出板付きコンパクト容器は、透明排出板の底面に様々な文字またはイメージを印刷し、前記透明排出板の下側にパレットをインサート射出または二重射出し、前記パレットの下側に分配板を超音波接合して、排出手段の上部に結合される一つの部品として形成することにより、コンパクト容器の組立構造が単純化され、これにより生産性が向上するという効果がある。
【図面の簡単な説明】
【００２６】
【図１】従来の化粧品容器を示す図である。
【図２】従来の模様が印刷された情報伝達板を有するゲル状化粧料用コンパクト容器を示す図である。
【図３】本発明に係る情報伝達機能を有し且つ底面に異物が入り込まないようにした透明排出板付きコンパクト容器の斜視図である。
【図４】本発明に係る情報伝達機能を有し且つ底面に異物が入り込まないようにした透明排出板付きコンパクト容器を示す分解斜視図である。
【図５】本発明に係る情報伝達機能を有し且つ底面に異物が入り込まないようにした透明排出板付きコンパクト容器を示す断面図である。
【図６】本発明に係る情報伝達機能を有し且つ底面に異物が入り込まないようにした透明排出板付きコンパクト容器の透明排出板から化粧料が排出される様子を示す断面図である。
【図７】本発明に係る情報伝達機能を有し且つ底面に異物が入り込まないようにした透明排出板付きコンパクト容器のシリンダーに化粧料が流入する様子を示す断面図である。
【図８】本発明に係る情報伝達機能を有し且つ底面に異物が入り込まないようにした透明排出板付きコンパクト容器のパレットと枠部材と透明排出板がインサート射出または二重射出された様子を示す斜視図である。
【図９】本発明に係る情報伝達機能を有し且つ底面に異物が入り込まないようにした透明排出板付きコンパクト容器のパレットの下側に分配板が接合される様子を示す断面図である。
【発明を実施するための形態】
【００２７】
以下に添付図面を参照しながら、本発明に係る情報伝達機能を有し且つ底面に異物が入り込まないようにした透明排出板付きコンパクト容器の一実施例を説明する。
【００２８】
図３は本発明に係る情報伝達機能を有し且つ底面に異物が入り込まないようにした透明排出板付きコンパクト容器の斜視図、図４は本発明に係る情報伝達機能を有し且つ底面に異物が入り込まないようにした透明排出板付きコンパクト容器を示す分解斜視図、図５は本発明に係る情報伝達機能を有し且つ底面に異物が入り込まないようにした透明排出板付きコンパクト容器を示す断面図である。
【００２９】
本発明に係る情報伝達機能を有し且つ底面に異物が入り込まないようにした透明排出板付きコンパクト容器は、分配通路５２を有する分配板５０と、前記分配板５０の上部に形成され、排出通路６２を有するパレット６０と、前記パレット６０の上部に形成され、排出口７２を有し、透明または半透明材質からなる透明排出板７０とを含んでなり、前記透明排出板７０の底面には、イメージまたは文字が印刷されて透明排出板７０の上面に投影され、前記透明排出板７０の下側にパレット６０がインサート射出または二重射出され、前記パレット６０の下側に分配板５０が結合されて一つの部品として形成される。
【００３０】
また、前記分配板５０とパレット６０と透明排出板７０は、内容物容器３０に収容された化粧料を排出させる排出手段４０に隣接して結合されることを特徴とする。
【００３１】
前記内容物容器３０は外容器１０の内側に装着され、前記外容器１０の一側には、外容器１０を開閉する外容器蓋２０が結合される。
【００３２】
前記外容器１０の前面にはボタン１２が形成され、前記ボタン１２の上部には、ユーザーの押圧動作によって後退する係止突起１２２が突設される。
【００３３】
前記外容器１０の内側には結合ショルダー８０が結合されるが、前記結合ショルダー８０は、排出手段４０のポンプハウジング４１を押圧して前記ポンプハウジング４１と内容物容器３０を外容器１０の内側に固定させるとともに、前記パレット６０と透明排出板７０が上下移動するとき、前記パレット６０と透明排出板７０が傾くことなく垂直に移動するようにする役割を果たす。
【００３４】
前記結合ショルダー８０の内周縁には加圧顎８６が形成されて排出手段４０のポンプハウジング４１を押圧して固定する。
【００３５】
前記外容器１０の内周縁には結合突起１４が形成され、前記結合ショルダー８０の外周縁には結合溝８４が形成されることにより、互いに結合される。
【００３６】
前記外容器蓋２０は、外容器１０の一側にヒンジ結合されて前記外容器１０を開閉する。
【００３７】
前記外容器蓋２０の前面には突起状のフック２２が形成されて前記外容器１０の係止突起１２２と締結される。
【００３８】
前記内容物容器３０の内部には化粧料が内蔵され、前記内容物容器３０は外容器１０の内側に装着される。
【００３９】
前記内容物容器３０は、底面３２と、前記底面３２から上方に延設された内壁３４と、前記内壁３４から外側に一定間隔離隔して上方に延設された外壁３６とから構成される。
【００４０】
前記内容物容器３０の底面３２には、外部空気が流入する空気流通孔３２２が形成される。
【００４１】
前記内容物容器３０の内側には、化粧料を上方に押し上げる押上板３８が形成され、前記押上板３８は、内容物容器３０の内側面に密着する。
【００４２】
前記排出手段４０は、内容物容器３０の上部に設置され、前記内容物容器３０の内部に収容された化粧料を排出させる。
【００４３】
前記排出手段４０は、化粧料をポンピングして外部へ排出させるポンプであってもよい。
【００４４】
前記排出手段４０は、内容物容器３０の上部に結合されるポンプハウジング４１と、前記ポンプハウジング４１の中央に形成され、底面に内容物吸入孔４８を有するシリンダー４２と、前記シリンダー４２の底面に装着され、前記内容物吸入孔４８を選択的に開閉する吸入弁板４３と、前記シリンダー４２の上端にのせられながらシリンダー４２の外側に結合されるブッシング４４と、前記ブッシング４４の上部で上下移動する上下移動部材４５と、前記上下移動部材４５を弾力支持する弾性部材４６と、前記上下移動部材４５に結合されてシリンダー４２の内側で上下移動部材４５と一緒に上下移動するピストン４７と、前記ピストン４７の外側に嵌められ、前記シリンダー４２の内側面に密着するピストンリング４９とから構成できる。
【００４５】
前記ポンプハウジング４１は、内容物容器３０の上部に結合されて前記内容物容器３０を密閉させる役割を果たし、前記ポンプハウジング４１の外側には、内容物容器３０の内壁３４と外壁３６との間に結合される下部延長突環４１４が下方に延設され、前記下部延長突環４１４の外周縁には、結合ショルダー８０の加圧顎８６によって押圧される固定突環４１６が突設される。
【００４６】
前記ブッシング４４には第１係止顎４４２が形成され、前記上下移動部材４５には第２係止顎４５２が形成されて互いに締結されることにより、前記上下移動部材４５がブッシング４４から離脱することを防止する。
【００４７】
前記分配板５０は、排出手段４０の上下移動部材４５の上部に結合され、前記分配板５０の中央には、排出手段４０によって排出された化粧料を移動させる分配通路５２が形成される。
【００４８】
前記分配板５０の上面には嵌合環溝５４が形成され、前記嵌合環溝５４の外側には嵌合溝５６が形成される。
【００４９】
前記パレット６０は、分配板５０の上部に結合され、分配板５０の分配通路５２を通過した化粧料を透明排出板７０の排出口７２へ移動させる排出通路６２が形成される。
【００５０】
前記パレット６０の下面には嵌合突輪６４が形成されて前記分配板５０の嵌合環溝５４に嵌合され、前記嵌合突輪６４の外側には嵌合突起６６が形成されて前記分配板５０の嵌合溝５６に嵌合される。
【００５１】
前記パレット６０の下側に分配板５０が結合されるが、超音波接合、高周波接合または熱接合されるか、或いは接着剤で接着されるか、或いはアンダーカット結合されてもよい。
【００５２】
前記パレット６０は不透明材質で形成されるが、これは、透明排出板７０の底面に印刷されたイメージまたは文字がより鮮明に消費者に伝達できるように背景の役割を果たすためのものである。
【００５３】
前記透明排出板７０は、透明または半透明の合成樹脂材質で形成され、前記透明排出板７０の底面には、消費者に伝達するための様々なイメージまたは文字が印刷される。
【００５４】
前記イメージまたは文字が印刷された透明排出板７０の下側には、パレット６０がインサート射出または二重射出される。
【００５５】
また、前記透明排出板７０の上側には、内周面が曲面からなるリング状の枠部材６１がインサート射出または二重射出されられるが、前記枠部材６１は、透明排出板７０の上部に排出された化粧料をパフで擦り取るとき、化粧料が前記透明排出板７０の外側に流れ落ちることを防止する役割を果たす。
【００５６】
前記枠部材６１とパレット６０は、透明排出板７０に同時にインサート射出または二重射出されることが好ましい。
【００５７】
前記透明排出板７０には、分配板５０の分配通路５２とパレット６０の排出通路６２を通過した化粧料を外部へ排出させる排出口７２が形成される。
【００５８】
前記透明排出板７０の排出口７２とパレット６０の排出通路６２は、透明排出板７０とパレット６０がインサート射出または二重射出された後、ドリリング（ｄｒｉｌｌｉｎｇ）またはプレスまたはレーザーによって穿孔できる。
【００５９】
または、前記透明排出板７０の排出口７２がまずドリリングまたはプレスまたはレーザーによって穿孔された後、前記排出口７２の位置に合わせて排出通路６２を形成しながら透明排出板７０とパレット６０がインサート射出または二重射出されることも可能である。
【００６０】
図８は本発明に係る情報伝達機能を有し且つ底面に異物が入り込まないようにした透明排出板付きコンパクト容器のパレットと枠部材と透明排出板がインサート射出または二重射出された様子を示す斜視図、図９は本発明に係る情報伝達機能を有し且つ底面に異物が入り込まないようにした透明排出板付きコンパクト容器のパレットの下側に分配板が接合される様子を示す断面図である。
【００６１】
すなわち、前記透明排出板７０の底面に様々な文字またはイメージを印刷し、図８に示すように、透明排出板７０の下側に不透明な材質のパレット６０をインサート射出または二重射出することにより、図３に示すように、コンパクト容器を開放したとき、前記透明排出板７０の上面に様々な文字またはイメージが投影されるのである。したがって、使用しているコンパクトに関する情報を消費者に伝達すると同時に視覚的に審美感を向上させ、排出される化粧料による文字またはイメージの汚染を防止することができる。
【００６２】
従来のコンパクト容器は、図２に示すように化粧料が排出されるとき、透明排出板１とこれに組み立てられている情報伝達板３との間の隙間に化粧料が入り込みながら、前記情報伝達板３に印刷された模様または文字が化粧料によって隠されて情報伝達機能をまともに実行することができるうえ、視覚的な面からも汚くなり、前記情報伝達板３を挿入するための組立工程が増えて生産性に劣るという問題点があった。
【００６３】
これにより、本発明は、透明排出板７０の底面に文字またはイメージを直接印刷し、前記透明排出板７０の下側にパレット６０をインサート射出または二重射出して前記透明排出板７０とパレット６０との間の隙間をなくすことにより、排出手段４０によって排出された化粧料が透明排出板７０とパレット６０との間に入り込まないようにしたのである。
【００６４】
さらに、本発明は、図９に示すようにインサート射出または二重射出された透明排出板７０とパレット６０の下側に分配板５０を接合して、排出手段４０の上部に結合される一つの部品として形成することにより、コンパクト容器の組立構造を単純化させて生産性を向上させたのである。
【００６５】
次に、前述のように構成された情報伝達機能を有し且つ底面に異物が入り込まないようにした透明排出板付きコンパクト容器の組立方法を、添付図面を参照して説明する。
【００６６】
本発明に係る情報伝達機能を有し且つ底面に異物が入り込まないようにした透明排出板付きコンパクト容器を組み立てるためには、まず、図４及び図５に示すように、一側に外容器蓋２０がヒンジ結合された外容器１０の内部に内容物容器３０を挿入する。
【００６７】
次いで、前記内容物容器３０の内部に押上板３８を挿入し、化粧料を注入した後、前記内容物容器３０の上部に排出手段４０のポンプハウジング４１を結合させるが、前記ポンプハウジング４１の下部延長突環４１４が内容物容器３０の内壁３４と外壁３６との間に嵌め込まれて結合されるようにする。
【００６８】
その後、前記ポンプハウジング４１の上部に吸入弁板４３、プッシング４４、弾性部材４６、ピストン４７、ピストンリング４９及び上下移動部材４５を設置する。
【００６９】
次いで、前記排出手段４０の上下移動部材４５の上部に分配板５０とパレット６０と透明排出板７０を結合する。
【００７０】
このとき、図８に示すように、前記透明排出板７０の上側と下側に枠部材６１とパレット６０がインサート射出または二重射出され、前記分配板５０は、図９に示すように、パレット６０の下側に接合されて一つの部品として形成された後、排出手段４０の上下移動部材４５に結合される。よって、コンパクト容器の組立構造が単純化されて生産性が向上される。
【００７１】
次に、前記外容器１０と内容物容器３０との間に結合ショルダー８０を挿入、結合するが、前記外容器１０の結合突起１４が結合ショルダー８０の結合溝８４に結合されるとともに、ポンプハウジング４１の固定突環４１６の上端が結合ショルダー８０の加圧顎８６によって押圧されて固定されるようにして、本発明に係る情報伝達機能を有し且つ底面に異物に入り込まないようにした透明排出板付きコンパクト容器の組み立てを完了する。
【００７２】
次に、添付図面を参照して、前述したような方法で組み立てられた情報伝達機能を有し且つ底面に異物が入り込まないようにした透明排出板付きコンパクト容器の使用方法を説明する。
【００７３】
図６は本発明に係る情報伝達機能を有し且つ底面に異物が入り込まないようにした透明排出板付きコンパクト容器の透明排出板に化粧料が排出される様子を示す断面図、図７は本発明に係る情報伝達機能を有し且つ底面に異物が入り込まないようにした透明排出板付きコンパクト容器のシリンダーに化粧料が流入する様子を示す断面図である。
【００７４】
本発明に係る情報伝達機能を有し且つ底面に異物が入り込まないようにした透明排出板付きコンパクト容器を使用するためには、まず、外容器１０のボタン１２を押圧して外容器蓋２０を開放する。
【００７５】
前記外容器蓋２０が開放されると、図３に示すように、透明排出板７０の底面に印刷されたイメージまたは文字が透明排出板７０の上面に投影されて消費者に伝達される。
【００７６】
その後、図６に示すようにパフなどの化粧道具で透明排出板７０の上面を加圧する。
【００７７】
前記透明排出板７０が加圧されると、透明排出板７０、インサート射出または二重射出されたパレット６０及び前記パレット６０の下側に接合された分配板５０も一緒に下方に移動するとともに、前記分配板５０の下側に結合された上下移動部材４５、ピストン４７及びピストンリング４９も一緒に下方に移動しながら、シリンダー４２の内部体積が減少される。
【００７８】
これにより、シリンダー４２の内部に圧力が発生し、前記圧力でシリンダー４２内の化粧料が外部へ吐き出されようとすることにより吐出圧力が発生して、吸入弁板４３が前記シリンダー４２の底面の内容物吸入孔４８を閉鎖させる。
【００７９】
これと同時に、図６の拡大図に示すように、シリンダー４２内に収容されていた化粧料がピストン４７とピストンリング４９との間から出てきて分配板５０の分配通路５２を通過した後、パレット６０の排出通路６２を経て透明排出板７０の排出口７２に排出される。
【００８０】
このとき、前記透明排出板７０の下側にパレット６０をインサート射出または二重射出して前記透明排出板７０とパレット６０との間の隙間をなくしたので、前記排出手段４０によって排出された化粧料が透明排出板７０とパレット６０との間に入り込まなくなる。
【００８１】
その後、図７に示すように前記透明排出板７０の加圧を解除すると、前記分配板５０を弾力支持する弾性部材４６の弾性によって分配板５０が上方に移動し、前記分配板５０の下側に結合されている上下移動部材４５とピストン４７とピストンリング４９も一緒に上方に移動することにより、シリンダー４２の内部体積が大きくなって真空圧が発生する。
【００８２】
これと同時に、前記シリンダー４２の内部に発生した真空圧によって吸入弁板４３が持ち上げられながら、シリンダー４２の底面に形成された内容物吸入孔４８が開放され、これにより、内容物容器３０の内部に収容されていた化粧料が前記内容物吸入孔４８を介してシリンダー４２の内部に流入すると同時に、前記内容物容器３０の内部に設置された押上板３８が上方に移動する。
【００８３】
以上、本発明における説明は、情報伝達機能を有し且つ底面に異物が入り込まないようにした透明排出板付きコンパクト容器を実施するための一つの実施例に過ぎないものであり、本発明は、この実施例に限定されるものではない。添付された請求の範囲で請求するように、本発明の要旨を逸脱することなく、当該発明の属する分野における通常の知識を有する者であれば誰でも様々な変更実施が可能な範囲まで本発明の範囲に属するとみなされるべきである。
【符号の説明】
【００８４】
１０    外容器
２０    外容器蓋
３０    内容物容器
４０    排出手段
４１    ポンプハウジング
５０    分配板
５２    分配通路
５４    嵌合環溝
５６    嵌合溝
６０    パレット
６１    枠部材
６２    排出通路
６４    嵌合突輪
６６    嵌合突起
７０    透明排出板
７２    排出口
８０    結合ショルダー
【図１】
2018000958.tif 000003
【図２】
2018000958.tif 000004
【図３】
2018000958.tif 000005
【図４】
2018000958.tif 000006
【図５】
2018000958.tif 000007
【図６】
2018000958.tif 000008
【図７】
2018000958.tif 000009
【図８】
2018000958.tif 000010
【図９】
2018000958.tif 000011